(57)【要約】【課題】反射型センサを備える照明装置において、点消灯が勝手に切り替えられる誤作動を起こさない照明装置を提供することを目的とする。【解決手段】  作業面の上方に取り付けられ、当該作業面を照らす照明装置であって、光源と、発光素子と受光素子とが近接して配置された反射型センサと、反射型センサから出力される信号に基づき、光源の点消灯動作を制御する制御部とを備え、発光素子の主出射方向は、照明装置が取り付けられた状態において、作業面に垂直な方向に対して角度が設けられている。【選択図】図５
2014199729.tif 000002
【特許請求の範囲】
【請求項１】
作業面の上方に取り付けられ、当該作業面を照らす照明装置であって、
光源と、
発光素子と受光素子とが近接して配置された反射型センサと、
前記反射型センサから出力される信号に基づき、前記光源の点消灯動作を制御する制御部とを備え、
前記発光素子の主出射方向は、前記照明装置が取り付けられた状態において、前記作業面に垂直な方向に対して角度が設けられている
ことを特徴とする照明装置。
【請求項２】
前記角度は、３度以上、５度以下である
ことを特徴とする請求項１に記載の照明装置。
【請求項３】
前記作業面は水平であり、
前記発光素子の主出射方向は、鉛直方向に対して角度が設けられている
ことを特徴とする請求項１に記載の照明装置。
【請求項４】
前記受光素子の主受光方向は、前記発光素子の主出射方向と同じ方向である
ことを特徴とする請求項１に記載の照明装置。
【請求項５】
前記光源は、長尺状であり、
前記発光素子の主出射方向は、前記光源の長手方向と直交する方向に傾けて、前記作業面に垂直な方向に対して角度が設けられている
ことを特徴とする請求項１に記載の照明装置。
【請求項６】
前記発光素子から出射される光は、赤外光である
ことを特徴とする請求項１に記載の照明装置。
【発明の詳細な説明】
【技術分野】
【０００１】
キッチンカウンタ等の作業台の作業面を照らす照明装置に関する。
【背景技術】
【０００２】
従来、この種の照明装置では、照明装置から下垂した引きひもスイッチが設けられており、この引きひもスイッチを引くことで点消灯の切り替えが行なわれている。
また、引きひもスイッチに換えて、発光素子と受光素子とを有する反射型の赤外光センサを備えた照明装置が知られている（特許文献１）。発光素子は、主出射方向を作業面に垂直な方向に向けて配置されている。発光素子の下方に手をかざした場合、発光素子から出射された赤外光が手で反射し、反射光が受光素子で受光される。照明装置は、この受光素子に流れる電流を検知して、点消灯の切り替えを行なう。この照明装置によれば、ユーザの手が汚れている場合であっても、照明装置を汚さずに点消灯の切り替えを行なうことができる。
【先行技術文献】
【特許文献】
【０００３】
【特許文献１】特開２００４−２６５７３２
【発明の概要】
【発明が解決しようとする課題】
【０００４】
上記従来の照明装置では、赤外光センサの発光素子が主出射方向を作業面に垂直な方向に向けて配置されているため、作業面で反射した赤外光が赤外光センサの受光素子に入射する。キッチンカウンタ等の作業台の高さは住宅によって異なり、赤外線センサと作業台の作業面までの距離が近い場合、作業面で反射した赤外光が赤外光センサの受光素子で多量に受光される。このため、ユーザが手をかざさなくとも、点消灯が勝手に切り替えられるという誤作動が生じる場合があった。
【０００５】
本発明は、上記の事情に鑑みなされたものであり、反射型センサを備える照明装置において、点消灯が勝手に切り替えられる誤作動が起こりにくい照明装置を提供することを目的とする。
【課題を解決するための手段】
【０００６】
上記目的を達成するため、本発明の一態様である照明装置は、作業面の上方に取り付けられ、当該作業面を照らす照明装置であって、光源と、発光素子と受光素子とが近接して配置された反射型センサと、前記反射型センサから出力される信号に基づき、前記光源の点消灯動作を制御する制御部とを備え、前記発光素子の主出射方向は、前記照明装置が取り付けられた状態において、前記作業面に垂直な方向に対して角度が設けられている構成とする。
【０００７】
また、本発明の別の態様として、前記角度は、３度以上、５度以下である構成とすることもできる。
また、本発明の別の態様として、前記作業面は水平であり、前記発光素子の主出射方向は、鉛直方向に対して角度が設けられている構成とすることもできる。
また、本発明の別の態様として、前記受光素子の主受光方向は、前記発光素子の主出射方向と同じ方向である構成とすることもできる。
【０００８】
また、本発明の別の態様として、前記光源は、長尺状であり、前記発光素子の主出射方向は、前記光源の長手方向と直交する方向に傾けて、前記作業面に垂直な方向に対して角度が設けられている構成とすることもできる。
また、本発明の別の態様として、前記発光素子から出射される光は、赤外光である構成とすることもできる。
【発明の効果】
【０００９】
本発明の一態様である照明装置によれば、反射型センサの発光素子の主出射方向は、照明装置が取り付けられた状態において、作業面に垂直な方向に対して角度が設けられている。このため、発光素子から出射され作業面で反射した光が、受光素子に入射することが回避されている。従って、ユーザが手をかざさなくとも、点消灯が勝手に切り替えられるという誤作動が起こりにくい。
【図面の簡単な説明】
【００１０】
【図１】本発明の第１の実施の形態にかかる照明装置を取り付けた状態を示す図である。
【図２】本発明の第１の実施の形態にかかる照明装置の表面側からの斜視図である。
【図３】本発明の第１の実施の形態にかかる照明装置の背面側からの斜視図である。
【図４】本発明の第１の実施の形態にかかる照明装置の内部構成を示す図である。
【図５】本発明の第１の実施の形態にかかる照明装置の断面図である。
【図６】本発明の第１の実施の形態にかかる照明装置の使用態様を説明する図である。
【図７】赤外光発光部から出射された赤外光の光路を示す図であって、（ａ）は本発明の第１の実施の形態にかかる照明装置における光路を示す図であり、（ｂ）は比較例にかかる照明装置における光路を示す図である。
【図８】本発明の第１の実施の形態にかかる照明装置において、ユーザの手に反射した赤外光の光路を示す図である。
【図９】赤外光発光部の主出射方向を発光モジュールの長手方向に傾けた場合の赤外光の光路を示す図であって、（ａ）は右側方向に傾けた場合の赤外光の光路を示す図であり、（ｂ）は左側方向に傾けた場合の赤外光の光路を示す図である。
【図１０】赤外光発光部の主出射方向を後側方向に傾けた場合の赤外光の光路を示す図である。
【発明を実施するための形態】
【００１１】
［実施の形態１］
本発明の実施の形態１にかかる照明装置１について、図１から図１０を用いて説明する。
図１に示すように、本実施の形態１にかかる照明装置１は、所謂流し元灯であって、キッチンカウンタ２の上方に設置される吊戸棚４の下面５に取り付けられ、キッチンカウンタ２の作業面３を照らす。
【００１２】
図２乃至図５に示すように、照明装置１は、発光モジュール１０と、筐体２０と、センサユニット４０と、制御回路ユニット５０と、点消灯回路ユニット６０と、スイッチユニット７０と、端子台８０と、透光カバー９０とを備える。
（発光モジュール）
発光モジュール１０は、基板１１と、複数の発光素子１２と、封止部材１３と、一対の端子部１４とを有する。
【００１３】
基板１１は、長方形板状であって、セラミック基板や熱伝導樹脂等からなる絶縁層とアルミ板等からなる金属層との２層構造を有する。基板１１の上面には、発光素子１２が複数個、直線状に並べて実装されている。
発光素子１２は、例えば、ピーク波長が４５０ｎｍ以上４７０ｎｍ以下の青色光を出射するＬＥＤ（Ｌｉｇｈｔ  Ｅｍｉｔｔｉｎｇ  Ｄｉｏｄｅ）であって、基板１１の上面にＣＯＢ（Ｃｈｉｐ  ｏｎ  Ｂｏａｒｄ）技術を用いてフェイスアップ実装されている。なお、本発明にかかる発光素子は、ピーク波長が４５０ｎｍ以上４７０ｎｍ以下の青色光を出射するＬＥＤに限定されず、それ以外の波長の青色光を出射するＬＥＤであってもよいし、青色以外の色の可視光または紫外光を出射するＬＥＤであってもよい。
【００１４】
封止部材１３、例えば、透光性材料で形成されており、発光素子１２を封止している。透光性材料としては、例えば、シリコン樹脂、エポキシ樹脂、フッソ樹脂、シリコーン・エポキシのハイブリッド樹脂、ユリア樹脂等が好適する。
封止部材１３は、透光性材料に波長変換材料が混入されているため、波長変換部材として機能する。波長変換材料としては、例えば蛍光体が挙げられる。蛍光体は、例えば、発光素子１２の青色光を、ピーク波長が５３５ｎｍ以上５５５ｎｍ以下且つ半値幅が５０ｎｍ以上７０ｎｍ以下の緑色光に波長変換する。この場合、発光モジュール１０は、未変換の青色光と変換後の緑色光との混色により得られる白色光を発する。なお、ピーク波長が５３５ｎｍ以上５５５ｎｍ以下且つ半値幅が５０ｎｍ以上７０ｎｍ以下の光に波長変換する蛍光体としては、サイアロン構造を有する酸窒化物蛍光体、酸窒化物蛍光体、硫化物蛍光体、シリケート系蛍光体、および、それら蛍光体のうちの２種類以上を混合した混合物等が好適する。
【００１５】
一対の端子部１４は、基板１１に形成された導体パターンの一部であって、基板１１の上面における周縁部に形成されている。当該一対の端子部１４には、点消灯回路ユニット６０と電気的に接続するためのリード線が接続されている。
基板１１の下面には、長方形板状のモジュールプレート１５が接触して配置されている。モジュールプレート１５の材料としては、アルミニウム等の高熱伝導性材料が好適する。発光モジュール１０とモジュールプレート１５とが接触していることにより、発光モジュール１０で発生した熱を、モジュールプレート１５を介して効率的に筐体２０に導くことができる。そして、筐体２０に導かれた熱は、筐体２０の外側表面から外部へ放出される。
【００１６】
（筐体）
筐体２０は、主筐体部２１と、当該主筐体部２１の両端を覆うサイドカバー部３０とを有する。筐体２０の材料としては、アルミニウム、セラミックス、プラスチック等の熱伝導性に優れた材料が好適する。
主筐体部２１は、長方形板状の底板部２２と、底板部２２の前縁に立設された前側板部２３と、底板部２２の後縁に立設された後側板部２４と、底板部２２に対向する天板部２５とを有する。
【００１７】
底板部２２には、その一部分が天板部２５側に向けて突出した端子台収容部２６が形成されている。当該端子台収容部２６に、端子台８０が収容される。また、底板部２２には、取付孔２７が形成されている。当該取付孔２７に木螺子を挿入し、吊戸棚４の下面５にねじ込むことにより、照明装置１は吊戸棚４の下面５に取り付けられる。
底板部２２の前側部分には、モジュールプレート１５が固着され、当該モジュールプレート１５上に発光モジュール１０が配置されている。また、底板部２２の後側部分には、センサユニット４０、制御回路ユニット５０、点消灯回路ユニット６０、スイッチユニット７０等が固着され、リード線によりそれらの間が電気的に接続されている。
【００１８】
前側板部２３および後側板部２４は、長方形板状であり、前側板部２３の短手方向の長さは、後側板部２４の短手方向の長さよりも短く形成されている。このため、筐体２０に収容した発光モジュール１０の出射光を、照明装置１の表面側からだけでなく、前面側から外部に出射することができる。
天板部２５は、長方形状であり、センサユニット４０の赤外光発光部４１および赤外光受光部４２を外部に露出するための開口部２８が形成されている。当該開口部２８には、アクリル、ポリカーボネート、ガラス等の透光材料からなるカバー（図示せず）が設けられており、センサユニット４０に異物が侵入するのを防止している。
【００１９】
サイドカバー部３０は、有底筒状の形状を有し、主筐体部２１の両端を覆っている。当該サイドカバー部３０には、スイッチユニット７０の操作部７１を外部に露出するための開口部３１が形成されている。
（センサユニット）
センサユニット４０は、所謂反射型センサであって、赤外光発光部４１と、赤外光受光部４２とを有する。
【００２０】
赤外光発光部４１は、赤外光ＬＥＤ等の発光素子であって、赤外光を出射する。赤外光受光部４２は、フォトダイオードやフォトトランジスタ等の受光素子であって、赤外光を受光し、受光した赤外光を電気信号に光電変換して出力する。赤外光発光部４１および赤外光受光部４２は、センサユニット４０のケース４３の一面に設けられた素子設置面４４上に、互いに近接して配置されている。センサユニット４０のケース４３の内部には、赤外光発光部４１を駆動するための駆動回路（図示せず）や赤外光受光部４２の出力信号を増幅する増幅回路（図示せず）等が収容されている。
【００２１】
図５に示すように、赤外光発光部４１および赤外光受光部４２が配置される素子設置面４４は、筐体２０の天板部２５に対して、傾斜が設けられている。すなわち、照明装置１が吊戸棚４の水平な下面５に取り付けられた状態において、素子設置面４４は水平方向に対して傾いている。
素子設置面４４が水平方向に対して傾いているため、赤外光発光部４１の主出射方向は、前側に傾けて、作業面３に垂直な方向に対して角度θが設けられている。換言すると、赤外光発光部４１の主出射方向は、前側に傾けて、鉛直方向に対して角度θが設けられている。詳細は後述するが、角度θは、赤外光発光部４１から出射されキッチンカウンタ２の作業面３で反射した光が、赤外光受光部４２に入射することを回避するために設けられている。角度θの大きさは、反射光が赤外光受光部４２に入射することを回避するために、３度以上であることが好ましい。また、センサユニット４０の下方に手をかざした場合に、手で反射した光が赤外光受光部４２に入射するために、角度θの大きさは５度以下であることが好ましい。
【００２２】
また、赤外光受光部４２は、赤外光発光部４１と近接して、互いに素子設置面４４上に配置されている。このため、赤外光受光部４２の主受光方向も、赤外光発光部４２の主出射方向と同様に、前側に傾けて、作業面３に垂直な方向に対して角度θが設けられている。すなわち、赤外光受光部４２の主受光方向は、前側に傾けて、鉛直方向に対して角度θが設けられている。これにより、赤外発光部４１から出射され、ユーザの手等で反射した光を効率よく受光することができる。
【００２３】
図６に示すように、ユーザがセンサユニット４０の下方に手をかざした場合、赤外光発光部４１から出射された光はユーザの手で反射する。この反射光は、赤外光受光部４２に受光し、赤外光受光部４２から出力される電気信号の強度が増加する。照明装置１では、後述する制御回路ユニット５０において、この赤外光受光部４２から出力される電気信号の強度に基づきユーザの手の近接／非近接を判断し、点消灯の切り替えを行う。
【００２４】
キッチンカウンタ等で用いられるこの種の照明装置では、ユーザの手が濡れていたり、汚れていたりする場合がある。照明装置１では、装置に触れることなく点消灯の切り替えを行うことができるため、スイッチが汚れる、濡れた手で触るため感電する恐れがあるといった問題を回避することができる。
また、赤外光発光部４１の主出射方向が略鉛直方向を向いているため、「装置から下垂した引きひもスイッチを引く」という従来の点消灯の切り替え操作と似た動作で、点消灯の切り替えを行うことができる。
【００２５】
センサユニット４０には、端子台８０と電気的に接続するための給電線と、制御回路ユニット５０と電気的に接続するためのリード線とが接続されている。当該リード線を通じて、赤外光受光部４２の出力信号が制御回路ユニット５０に伝達する。
（制御回路ユニット）
制御回路ユニット５０は、点消灯回路ユニット６０の点消灯動作を制御する制御回路である。具体的には、制御回路ユニット５０は、センサユニット４０の赤外光受光素子４２からの出力信号の強度と所定のしきい値とを比較する比較回路を有する。赤外光受光素子４２からの出力信号の強度がしきい値以上である場合、ユーザの手等がセンサユニット４０の下方で近接状態にあると判定し、点消灯回路ユニット６０の点消灯動作の切り替えを行う。赤外光受光素子４２からの出力信号の強度がしきい値未満である場合、ユーザの手等がセンサユニット４０の下方で近接状態にないと判定し、点消灯回路ユニット６０の点消灯動作の切り替えを行わない。
【００２６】
制御回路ユニット５０には、センサユニット４０および点消灯回路ユニット６０と電気的に接続するためのリード線とが接続されており、当該リード線を通じて、制御回路ユニット５０から出力される制御信号が点消灯回路ユニット６０に伝達する。
（点消灯回路ユニット）
点消灯回路ユニット６０は、端子台８０と電気的に接続するための給電線が接続されており、外部電源（図示せず）から供給される交流を整流平滑する整流平滑回路や整流平滑回路から出力される直流電圧を昇圧または降圧する電圧変換回路等を備えるものである。
【００２７】
点消灯回路ユニット６０は、制御回路ユニット５０から出力される制御信号に従い、発光モジュール１０に電力の供給／非供給を行うことで、点消灯の切り替えを行う。
（スイッチユニット）
スイッチユニット７０は、操作部７１を有し、「常時点灯」、「常時消灯」、「自動点消灯」の照明装置１の動作を切り替える役割を果たす。ここで、「常時点灯」とは、センサユニット４０および制御回路ユニット５０による点消灯動作の制御を行わず、発光モジュール１０を常時点灯することをいう。この場合、センサユニット４０の赤外光発光部４１からは赤外光を出射しない。また、「常時消灯」とは、発光モジュール１０の点灯を行わないことをいう。また、「自動点消灯」とは、センサユニット４０および制御回路ユニット５０による点消灯動作の制御を行うことをいう。
【００２８】
スイッチユニット７０は、点消灯回路ユニット６０と電気的に接続するためのリード線が接続されており、操作部７１の操作に応じた信号を出力する。
（端子台）
端子台８０は、外部電源（図示せず）と照明装置１とを電気的に接続するためのものである。端子台８０は扁平な矩形箱状であり、ピン受部（図示せず）を有し、当該ピン受部に外部電源に接続された電源線の先端が差し込むことで外部電源と電気的に接続される。
【００２９】
（透光カバー）
透光カバー９０は、筐体２０に収容された発光モジュール１０、センサユニット４０、制御回路ユニット５０等を保護するともに、発光モジュール１０から出射される光を装置外部に出射する役割を果たす。透光性カバー９０の材料としては、透光性を有するガラスやアクリル樹脂等が好適する。なお、透光カバー９０の材料に、光拡散性を有する材料を加え、光拡散機能を持たせてもよい。発光モジュール１０から出射された光は、透光カバー９０を透過する際に散乱光となる。このような光拡散機能により、輝度むらが軽減される。
【００３０】
（照明装置１による効果）
以下では、赤外光発光部４１の主出射方向を作業面３に垂直な方向に対して角度θを設けたことによる効果について説明する。
図７（ｂ）に示すように、従来例にかかる照明装置１００では、赤外光発光部１４１および赤外光受光部１４２が配置される素子設置面１４４は、筐体１０の天板部２５に対して、平行に設けられていた。すなわち、照明装置１００が吊戸棚４の水平な下面５に取り付けられた状態において、素子設置面１４４は水平である。
【００３１】
素子設置面１４４が水平であるため、赤外光発光部１４１の主出射方向は、作業面３に対して垂直な方向、すなわち鉛直方向に向けられている。このため、赤外光発光部１４１から出射され、キッチンカウンタ２の水平な作業面３で反射した光Ｄ1は、赤外光受光部１４２に入射する。作業面３で反射した赤外光が、赤外光センサ１４０の赤外光受光部１４２で多量に受光されるため、ユーザが手をかざさなくとも、点消灯が切り替えられるという誤作動が生じる場合があった。
【００３２】
ここで、照明装置１００の設置面である吊戸棚４の下面５は、天井より下方に位置している。また、照射対象であるキッチンライト２の作業面３は、床面より上方に位置している。このため、照明装置の設置面から照射対象の作業面までの距離Ｗが、シーリングライトやダウンライトといった天井に取り付けられ、床面を照らす照明装置に比べて短い。距離Ｗは、一般的なキッチンライトと吊戸棚の組み合わせにおいて、約６００ｍｍから９００ｍｍの長さである。照明装置の設置面から照射対象の作業面までの距離Ｗが短いため、上記のようなユーザが手をかざさなくとも、点消灯が切り替えられるという誤作動が生じやすい。
【００３３】
一方、図７（ａ）に示すように、本実施の形態にかかる照明装置１では、赤外光発光部４１の主出射方向は、前側に傾けて、作業面３に垂直な方向に対して角度θが設けられている。このため、赤外光発光部４１から出射した赤外光Ｄ2が、キッチンカウンタ２の作業面３で反射し赤外光受光部４２に入射することを回避することができる。従って、上記のようなユーザが手をかざさなくとも、点消灯が切り替えられるという誤作動を防止することができる。
【００３４】
また、角度θの大きさは微小、具体的には３度以上５度以下である。このため、赤外光発光部４１の主出射方向を、作業面３に垂直な方向に対して角度θを設けた場合であっても、図８に示すように、赤外発光部４１から出射された赤外光Ｄ2は、ユーザの手で反射し、センサユニット４０の赤外光受光部４２に入射する。
ユーザの手で反射した赤外光Ｄ2は、赤外光を出射した方向と同方向から赤外光受光部４２に入射する。赤外光受光部４２の主受光方向も、赤外光発光部４２の主出射方向と同様に、前側に傾けて、作業面３に垂直な方向に対して角度θが設けられているため、ユーザの手等で反射した光を効率よく受光することができる。
【００３５】
以上説明したように、赤外光発光部４１の主出射方向を、作業面３に垂直な方向に対して角度θを設けさえすれば、水平の作業面３に反射した光の誤検知を回避することができるが、前側方向に傾けることがより好ましい。以下では、その理由を説明する。
図９（ａ）および図９（ｂ）は、赤外光発光部の主出射方向を、左右方向、すなわち発光モジュールの長手方向に傾けた場合の赤外光発光部の主出射光の光路を示す。図６に示すような使用形態において、ユーザは発光モジュール１０の長手方向と直交する方向から手を入れる。このため、図９（ａ）に示すように、赤外光発光部２４１を右側方向に傾けた場合、赤外光発光部２４１から出射されユーザの手で反射した赤外光Ｄ3は、赤外発光部２４２に入射しない。また同様に、図９（ｂ）に示すように赤外光発光部３４１を左側方向に傾けた場合、赤外光発光部３４１から出射されユーザの手で反射した赤外光Ｄ4は、赤外発光部３４２に入射しない。これに対して、図８に示すように、発光モジュール１０の長手方向と直交する方向に赤外光の主出射方向を傾けた場合、ユーザの手で反射した光は、センサユニット４０の赤外光受光部４２に入射する。
【００３６】
このように、ユーザの手で反射した赤外光が、センサユニット４０の赤外光受光部４２に入射するためには、赤外光の主出射方向を、発光モジュール１０の長手方向に傾けるのではなく、発光モジュール１０の長手方向と直交する方向に傾けることが好ましい。
また、図１０は、赤外光発光部の主出射方向を、後側に傾けた場合の赤外光発光部の主出射方向の光路を示す。赤外光発光部４４１から出射された光Ｄ5は、キッチンライト２の作業面３に反射する。この反射光は、壁６でさらに反射し、赤外光受光部４４２に入射する場合がある。作業面３および壁６で反射した赤外光が、赤外光受光部４４２で多量に受光されるおそれがあり、ユーザが手をかざさなくとも、点消灯が切り替えられるという誤作動が生じるおそれがある。このため、赤外光発光部４１の主出射方向は、前側に傾けて、作業面３に垂直な方向に対して角度θが設けられていることが好ましい。
【００３７】
［変形例］
なお、上記の実施の形態に基づいて説明してきたが、本発明は上記の実施の形態に限定されないことはもちろんである。以下のような場合も本発明に含まれる。
（ａ）上記の実施の形態において、照明装置１が所謂流し元灯である場合を示したが、本発明は必ずしもこの場合に限定されない。照明装置１は、水平作業面の上方に取り付けられ、当該水平作業面を照らす照明装置であればよい。
【００３８】
（ｂ）上記の実施の形態において、センサユニット４０が所謂反射型の赤外光センサである場合を示したが、本発明は必ずしもこの場合に限定されない。センサユニット４０は、反射型センサであればよく、例えば、可視光を出射し、ユーザの手等の反射体で反射した可視光を受光するセンサであってもよい。
（ｃ）上記の実施の形態において、筐体２０の底板部２２に取付孔２７を形成し、吊戸棚４の下面５に取り付けられる場合を示したが、本発明は必ずしもこの場合に限定されない。壁面に取り付ける照明装置であってもよい。
【００３９】
（ｄ）上記の実施の形態において、発光モジュール１０は、基板１１上にＬＥＤチップ（ベアチップ）そのものを直接実装するＣＯＢ型である場合を示したが、本発明は必ずしもこの場合に限定されない。例えば、樹脂等で成型されたキャビティの中にＬＥＤチップを実装し、当該キャビティ内を蛍光体含有樹脂によって封入したパッケージ型、つまり表面実装型（ＳＭＤ：Ｓｕｒｆａｃｅ  Ｍｏｕｎｔ  Ｄｅｖｉｃｅ）のＬＥＤモジュールであってもよい。半導体レーザや有機ＥＬ（Ｅｌｅｃｔｒｏ  Ｌｕｍｉｎｅｓｃｅｎｃｅ）であってもよい。
【００４０】
（ｅ）筐体２０の内面は鏡面加工されていてもよい。また、発光モジュール１０の出射光を反射して外部に出射させる反射部材を筐体２０内に配置する構成にしてもよい。これにより、照明装置の光の取り出し効率向上を図ることができる。
（ｆ）照明装置１の周囲の光（外乱光）の影響を低減させるため、赤外光受光部４２にフード等を設置してもよい。
【符号の説明】
【００４１】
１  照明装置
２  キッチンカウンタ
３  作業面
４  吊戸棚
５  下面
１０  発光モジュール
２０  筐体
４０  センサユニット
４１  赤外光発光部
４２  赤外光受光部
４３  ケース
４４  素子設置面
５０  制御回路ユニット
６０  点消灯回路ユニット
７０  スイッチユニット
８０  端子台
９０  透光カバー
【図１】
2014199729.tif 000003
【図２】
2014199729.tif 000004
【図３】
2014199729.tif 000005
【図４】
2014199729.tif 000006
【図５】
2014199729.tif 000007
【図６】
2014199729.tif 000008
【図７】
2014199729.tif 000009
【図８】
2014199729.tif 000010
【図９】
2014199729.tif 000011
【図１０】
2014199729.tif 000012